【手続補正書】
【提出日】令和3年6月24日(2021.6.24)
【手続補正１】
【補正対象書類名】特許請求の範囲
【補正対象項目名】全文
【補正方法】変更
【補正の内容】
【特許請求の範囲】
【請求項１】
トランザクション処理システムであって、
アカウント識別子およびアクセッサ識別子を含むアクセスデータを記憶するように構成されたデータベースであって、前記アクセスデータは、特定のアクセッサによってアクセスされた特定のアカウントを示し、各アカウントは複数のアカウント識別子に関連付けられている、データベースと、
アクセッサカテゴリーおよび予約制限を含む制限テンプレートであって、どの予約制限がどのアクセッサカテゴリーに適用されるかを示す、制限テンプレートと、
１つまたは複数のプロセッサと、前記１つまたは複数のプロセッサに結合され、前記１つまたは複数のプロセッサによって実行されると、前記１つまたは複数のプロセッサに、
アカウント識別子および第１のアクセッサ識別子を含む予約要求を受信する動作であって、前記第１のアクセッサ識別子は、前記アカウント識別子に対応するアカウントにおける１つまたは複数のリソースの予約を要求する第１のアクセッサに対応する、動作と、
前記データベースから、前記アカウント識別子が割り当てられないことを判定する動作と、
前記アカウント識別子が割り当てられないことに応答して、前記アカウント識別子と前記第１のアクセッサとを相関させる前記データベースにマッピングを追加する動作と、
前記第１のアクセッサのアクセッサカテゴリーに基づいて、前記予約要求に適用する前記制限テンプレートの１つを選択する動作であって、前記選択された制限テンプレートは１つまたは複数の予約制限を含む、動作と、
前記アカウント識別子が前記データベース内の前記第１のアクセッサにマッピングされていること、および前記予約要求が前記選択された制限テンプレートの前記１つまたは複数の予約制限を満たすことに応答して、前記予約要求を許可する動作と、
前記アカウント識別子と、前記第１のアクセッサ識別子とは異なる第２のアクセッサ識別子とを含む第２の予約要求を受信する動作と、
記憶された前記マッピングが前記アカウント識別子と前記第１のアクセッサとを相関させると判定したことに応答して、前記第２の予約要求を拒否する動作と
を実行させる命令を記憶した１つまたは複数のコンピュータ可能メディアと、を含むコンピュータシステムと
を備えたトランザクション処理システム。
【請求項２】
前記アカウント識別子と前記第１のアクセッサとを相関させるデータベースにマッピングを追加する動作は、
前記アカウント識別子と、異なるアクセッサ識別子とを含む第３の予約要求を受信する動作と、
前記異なるアクセッサ識別子が前記第１のアクセッサに対応することを判定する動作と、
前記異なるアクセッサ識別子が前記第１のアクセッサに対応することを判定することに応じて、前記第３の予約要求を許可する動作と
を含む、請求項１に記載のトランザクション処理システム。
【請求項３】
前記異なるアクセッサ識別子が前記第１のアクセッサに対応することを判定する動作は、前記第１のアクセッサ識別子および前記異なるアクセッサ識別子が類似の値を有することを判定する動作を含む、請求項２に記載のトランザクション処理システム。
【請求項４】
前記マッピングは、異なるアクセッサ識別子を単一のアクセッサに相関させ、前記異なるアクセッサ識別子は、前記単一のアクセッサの同じ参照番号にそれぞれ対応する異なるアクセッサ名を含む、請求項１に記載のトランザクション処理システム。
【請求項５】
前記マッピングは、異なるアクセッサ識別子を単一のアクセッサに相関させ、前記異なるアクセッサ識別子は、前記異なるアクセッサ名の各々について予約されるリソースの量における類似度に基づいて前記単一のアクセッサにそれぞれ相関される異なるアクセッサ名を含む、請求項１に記載のトランザクション処理システム。
【請求項６】
前記第１のアクセッサはマーチャントであり、前記アカウント識別子はクレジットカード番号である、請求項１に記載のトランザクション処理システム。
【請求項７】
アカウント識別子および第１のアクセッサ識別子を含む予約要求を受信するステップであって、前記第１のアクセッサ識別子は、前記アカウント識別子に対応するアカウントにおける１つまたは複数のリソースの予約を要求する第１のアクセッサに対応し、前記アカウントは複数のアカウント識別子に関連付けられる、ステップと、
アカウント識別子とアクセッサ識別子とを含むアクセスデータを記憶するように構成されたデータベースから、前記アカウント識別子が割り当てられないことを判定するステップと、
前記アカウント識別子が割り当てられないことに応答して、前記アカウント識別子と前記第１のアクセッサとを相関させる前記データベースにマッピングを追加するステップと、
前記第１のアクセッサのアクセッサカテゴリーに基づいて、前記予約要求に適用する制限テンプレートを選択するステップであって、前記選択された制限テンプレートは前記アクセッサカテゴリーに対する１つまたは複数の予約制限を含む、ステップと、
前記アカウント識別子が前記データベース内の前記第１のアクセッサにマッピングされていること、および前記予約要求が前記選択された制限テンプレートの前記１つまたは複数の予約制限を満たすことに応答して、前記予約要求を許可するステップと、
前記アカウント識別子と、前記第１のアクセッサ識別子とは異なる第２のアクセッサ識別子とを含む第２の予約要求を受信するステップと、
記憶された前記マッピングが前記アカウント識別子と前記第１のアクセッサとを相関させると判定したことに応答して、前記第２の予約要求を拒否するステップと
を含む、トランザクション処理方法。
【請求項８】
前記アカウント識別子と前記第１のアクセッサとを相関させる前記データベースにマッピングを追加するステップは、
前記アカウント識別子と、異なるアクセッサ識別子とを含む第３の予約要求を受信するステップと、
前記異なるアクセッサ識別子が前記第１のアクセッサに対応することを判定するステップと、
前記異なるアクセッサ識別子が前記第１のアクセッサに対応すると判定したことに応じて、前記第３の予約要求を許可するステップと
を含む、請求項７に記載のトランザクション処理方法。
【請求項９】
前記異なるアクセッサ識別子が前記第１のアクセッサに対応することを判定するステップは、前記第１のアクセッサ識別子および前記異なるアクセッサ識別子が類似の値を有することを判定するステップを含む、請求項８に記載のトランザクション処理方法。
【請求項１０】
前記マッピングは、異なるアクセッサ識別子を単一のアクセッサに相関させ、前記異なるアクセッサ識別子は、前記単一のアクセッサの同じ参照番号にそれぞれ対応する異なるアクセッサ名を含む、請求項７に記載のトランザクション処理方法。
【請求項１１】
前記マッピングは、異なるアクセッサ識別子を単一のアクセッサに相関させ、前記異なるアクセッサ識別子は、前記異なるアクセッサ名の各々について予約されるリソースの量における類似度に基づいて前記単一のアクセッサにそれぞれ相関される異なるアクセッサ名を含む、請求項７に記載のトランザクション処理方法。
【請求項１２】
前記制限テンプレートのプロパティは、単一の予約要求に対して許可されるリソースの所定の量または前記第１のアクセッサからの予約要求を受信する頻度の少なくとも１つを制限する、請求項７に記載のトランザクション処理方法。
【請求項１３】
複数のアカウント識別子を記憶するように構成されたデータベースと、
１つまたは複数のプロセッサと、
前記１つまたは複数のプロセッサに結合され、前記１つまたは複数のプロセッサによって実行されると、前記１つまたは複数のプロセッサに、
前記複数のアカウント識別子に基づいて、アカウントに割り当てられるアカウント識別子のセットを判定する動作であって、前記セットは、前記アカウントに関連付けられた第１のアカウント識別カードの第１のインターフェースに割り当てられた第１のアカウント識別子と、前記第１のアカウント識別子とは異なる第２のアカウント識別子であって、前記第１のアカウント識別カードの第２のインターフェースに割り当てられた第２のアカウント識別子と、前記第１のアカウント識別子および前記第２のアカウント識別子と異なる第３のアカウント識別子であって、前記アカウントに関連付けられた第２のアカウント識別カードのインターフェースに割り当てられた第３のアカウント識別子と、を含み、前記第１、前記第２、および第３のアカウント識別子は、同一のアカウントプロバイダ識別子と、同一の端末識別子のセットとを共有する、動作と、
前記第１のアカウント識別子および前記第２のアカウント識別子が前記第１のアカウント識別カードに割り当てられていること、および前記第３のアカウント識別子は前記第２のアカウント識別カードに割り当てられることを示すマッピングデータを生成する動作と、
前記データベースを更新して、前記アカウント識別子のセットが別のアカウント識別カードによる使用に対して利用可能でないことを反映する動作と、
前記第２のアカウント識別子および前記第３のアカウント識別子を無効にさせずに、前記第１のアカウント識別子を無効にさせる動作と
を実行させる命令を記憶した１つまたは複数のコンピュータ可能メディアと
を備えたアクセス管理システム。
【請求項１４】
前記アカウント識別子のセットの各アカウント識別子は、前記アカウントをそれぞれに識別する、請求項１３に記載のアクセス管理システム。
【請求項１５】
前記第２のアカウント識別カードは仮想カードである、請求項１３に記載のアクセス管理システム。
【請求項１６】
前記マッピングデータは、前記第１のアカウント識別子が前記第１のアカウント識別カードの前記第１のインターフェースに割り当てられ、前記第２のアカウント識別子が前記第１のアカウント識別カードの前記第２のインターフェースに割り当てられ、前記第３のアカウント識別子が前記第２のアカウント識別カードの前記インターフェースに割り当てられることを示す、請求項１３に記載のアクセス管理システム。
【請求項１７】
前記アカウントのアカウントホルダーは、新しいカードが発行される間、前記第２のアカウント識別子および前記第３のアカウント識別子を介した前記アカウントへのアクセスを有し、前記新しいカードは、前記第１のアカウント識別カードの代替物である、請求項１３に記載のアクセス管理システム。
【請求項１８】
前記アカウント識別子のセットの前記第１のアカウント識別子を無効にさせた後、以前に前記第１のアカウント識別子と関連付けられていなかったアカウントの有効なアカウント識別子として前記第１のアカウント識別子を再利用する動作をさらに含む、請求項１３に記載のアクセス管理システム。
【請求項１９】
前記マッピングデータに基づいて、前記アカウント識別子のセットの各アカウント識別子の使用を、特定のインターフェースに制限する動作をさらに含む、請求項１３に記載のアクセス管理システム。
【請求項２０】
前記アカウント識別子のセットは第４のアカウント識別子をさらに含み、前記第４のアカウント識別子は前記第１のインターフェースに割り当てられ、前記第４のアカウント識別子は、特定のエンティティとのトランザクションにおける使用に対してのみ許可される、請求項１３に記載のアクセス管理システム。
【請求項２１】
前記第１のアカウント識別カードの前記第１のインターフェースは、視覚的に読み取られる前記アカウント識別カードの表面、磁気ストライプの１つまたは複数のトラック、または集積回路のうちの少なくとも１つを含む、請求項１３に記載のアクセス管理システム。
【請求項２２】
データベースに記憶された複数のアカウント識別子に基づいて、アカウントに割り当てられるアカウント識別子のセットを判定するステップであって、前記セットは、前記アカウントに関連付けられた第１のアカウント識別カードの第１のインターフェースに割り当てられた第１のアカウント識別子と、前記第１のアカウント識別子とは異なる第２のアカウント識別子であって、前記第１のアカウント識別カードの第２のインターフェースに割り当てられた第２のアカウント識別子と、前記第１のアカウント識別子および前記第２のアカウント識別子と異なる第３のアカウント識別子であって、前記アカウントに関連付けられた第２のアカウント識別カードのインターフェースに割り当てられた第３のアカウント識別子と、を含む、ステップと、
前記第１のアカウント識別子および前記第２のアカウント識別子が前記第１のアカウント識別カードに割り当てられていること、および前記第３のアカウント識別子は前記第２のアカウント識別カードに割り当てられることを示すマッピングデータを生成するステップと、
前記データベースを更新して、前記アカウント識別子のセットが別のアカウント識別カードによる使用に対して利用可能でないことを反映するステップと、
前記第２のアカウント識別子および前記第３のアカウント識別子を無効にさせずに、前記第１のアカウント識別子を無効にさせるステップと、
アカウント識別子を指定し、前記アカウント内の１つまたは複数のリソースの予約を要求する予約要求を受信するステップと、
前記予約要求において指定された前記アカウント識別子に対応する制限テンプレートを選択するステップであって、各制限テンプレートは、インターフェース、マーチャント、およびマーチャントタイプのうちの少なくとも２つを含む複数のパラメータを含む、ステップと、
前記予約要求が前記選択された制限テンプレートの前記パラメータを満たす場合、前記１つまたは複数のリソースの前記予約を許可するステップと
を含むアクセス管理方法。
【請求項２３】
前記アカウント識別子のセットの各アカウント識別子は、前記アカウントをそれぞれに識別する、請求項２２に記載のアクセス管理方法。
【請求項２４】
前記アカウント識別カードは仮想カードである、請求項２２に記載のアクセス管理方法。
【請求項２５】
前記マッピングデータは、前記第１のアカウント識別子が前記第１のアカウント識別カードの前記第１のインターフェースに割り当てられ、前記第２のアカウント識別子が前記第１のアカウント識別カードの第２のインターフェースに割り当てられ、前記第３のアカウント識別子が前記第２のアカウント識別カードの前記インターフェースに割り当てられることを示す、請求項２２に記載のアクセス管理方法。
【請求項２６】
前記アカウントのアカウントホルダーは、新しいカードが発行される間、前記第２のアカウント識別子および前記第３のアカウント識別子を介した前記アカウントへのアクセスを有し、前記新しいカードは、前記第１のアカウント識別カードの代替物である、請求項２２に記載のアクセス管理方法。
【請求項２７】
前記アカウント識別子のセットの前記第１のアカウント識別子を無効にさせた後、以前に前記第１のアカウント識別子と関連付けられていなかったアカウントの有効なアカウント識別子として前記第１のアカウント識別子を再利用するステップをさらに含む、請求項２２に記載のアクセス管理方法。
【請求項２８】
前記アカウント識別子のセットは第４のアカウント識別子をさらに含み、前記第４のアカウント識別子は前記第１のインターフェースに割り当てられ、前記第４のアカウント識別子は、特定のエンティティとのトランザクションにおける使用に対してのみ許可される、請求項２２に記載のアクセス管理方法。
【請求項２９】
前記アカウント識別子のセットの各アカウント識別子は、同じアカウントプロバイダ識別子を含む、請求項２２に記載のアクセス管理方法。
【請求項３０】
前記第１のアカウント識別カードの前記第１のインターフェースは、視覚的に読み取られる前記アカウント識別カードの表面、磁気ストライプの１つまたは複数のトラック、または集積回路を含む、請求項２２に記載のアクセス管理方法。
【請求項３１】
前記動作は、
前記アカウント識別子と前記第１のアクセッサ識別子を含む第４の予約要求を受信する動作と、
記憶された前記マッピングが前記アカウント識別子と前記第１のアクセッサとを相関させることを判定する動作と、
前記第４の予約要求を許可する動作と
をさらに含む、請求項１に記載のトランザクション処理システム。
【請求項３２】
前記選択された制限テンプレートのプロパティは、単一の予約要求に対して許可される所定量のリソースまたは前記第１のアクセッサからの予約要求を受信する頻度のうちの少なくとも１つを制限する、請求項１に記載のトランザクション処理システム。